(57)【要約】【課題】  施錠忘れを自動的に回避できると共に、電源のメンテナンスや大がかりな配線を必要としない電気錠の施開錠システムを提供すること。【解決手段】  オフィス等の屋内における出入口の扉やその屋内に配備された収納庫などにそれぞれ設置された動作制御回路２を含む電気錠１と、該錠１の動作用電源として屋内に設置された太陽電池４を含む電源回路を備えた電気錠１において、前記屋内の夜間消灯時の太陽電池４の出力値と任意設定可能な出力設定値とを演算部８で比較演算し、前記太陽電池４の出力値が出力設定値より小さいと演算されたとき、前記電気錠の１動作制御回路２に、当該電気錠１の施錠信号を出力させるようにしたこと。【選択図】図１
2006207316.tif 000002
【特許請求の範囲】
【請求項１】
オフィス等の屋内における出入口の扉やその屋内に配備された収納庫などにそれぞれ設置された動作制御回路を含む電気錠と、該錠の動作用電源として屋内に設置された太陽電池を含む電源回路を備えた電気錠において、前記屋内の夜間消灯時の太陽電池の出力値と任意設定可能な出力設定値とを演算部で比較演算し、前記太陽電池の出力値が出力設定値より小さいと演算されたとき、前記電気錠の動作制御回路に、当該電気錠の施錠信号を出力させるようにしたことを特徴とする扉などの電気錠の施開錠システム。
【請求項２】
太陽電池と電気錠を接続する電源回路には、急速充電，急速放電が可能な電気二重層コンデンサを前記太陽電池の二次電池として機能するように設けた請求項１の電気錠の施開錠システム。
【請求項３】
出力設定値は屋内照明の照度に対応させてその設定部に設定するようにした請求項１又は２の電気錠の施開錠システム。
【発明の詳細な説明】
【技術分野】
【０００１】
本発明は、オフィス等における出入口の扉や、収納庫などの什器や家具、或は、機器など備えられた電気錠の施錠忘れを、太陽電池を利用して自動的に防止する、即ち、人の施錠忘れを自動施錠することができるようにした電気錠の施開錠システムに関する。
【背景技術】
【０００２】
オフィス等においては、例えば重要書類や秘匿性の高い商品や貴重品などは、施錠できる専用の収納庫に収納されていることが多く、その書類等の出入れのために、一例として朝一番に来た人や担当者が開錠し、その日の最後に部屋を出る者や担当者などが施錠する方式を採っていることが多い。また、部屋の出入口の錠においても、上記のような施開錠様式を採っていることが多い。
【０００３】
上記のような施開錠様式においては、最後にオフィスを出る者や担当者が万一にも施錠を忘れてしまうと安全性や防盗性などの面で問題である。
従来、このような点に鑑み、錠の施開状態を離れた位置からでも視覚的に確認できるパイロットランプを付設した錠や、設定時間後に自動施錠する機構を付設した錠もあるが、パイロットランプや自動施錠機構のための配線や電源が必要となって、その設備のためのコストや手間は無視できない。
【０００４】
一方、上記のような錠には、電気錠を用いたものも多いが、電気錠は乾電池等の消耗取替え、交換を必要とする電源、或は、商用ＡＣ電源（ＡＣ／ＤＣ電源を含む）を不可欠とするのみならず、そのための配線を必要とするので、上記のパイロットランプや自動施錠機構の付設には便利であるが、コスト面や設備手間の面からみるとトータルには合理的とはいい難い。
また、オフィス等における複数の電気錠に対して、カードやテンキーなどから一斉施錠指令を出すようにしたり、セキュリティ装置と連動させた一斉施錠機構もあるが、これらはいずれも設備コストや設備手間が嵩み、容易には導入できない面がある。
【発明の開示】
【発明が解決しようとする課題】
【０００５】
本発明はオフィス等における上記のような施錠忘れの問題、並びに、電気錠を設備した場合における設備コストやその手間、或は、電池補充や入替えなどのメンテナンス面の問題に鑑み、施錠忘れを自動的に回避できると共に、電源のメンテナンスや大がかりな配線を必要としない電気錠の施開錠システムを提供することをその課題とする。
【課題を解決するための手段】
【０００６】
上記課題を解決することを目的としてなされた本発明による電気錠の施開錠システムの構成は、オフィス等の屋内における出入口の扉やその屋内に配備された収納庫などにそれぞれ設置された動作制御回路を含む電気錠と、該錠の動作用電源として屋内に設置された太陽電池を含む電源回路を備えた電気錠において、前記屋内の夜間消灯時の太陽電池の出力値と任意設定可能な出力設定値とを演算部で比較演算し、前記太陽電池の出力値が出力設定値より小さいと演算されたとき、前記電気錠の動作制御回路に、当該電気錠の施錠信号を出力させるようにしたことを特徴とするものである。
【０００７】
上記の本発明システムにおいて、夜間消灯時とは、屋内の通常照明（常夜灯や非常口灯を除く）が全部消灯したとき乃至大半の前記屋内照明が消灯され人が不在になるときをいうものとする。従って、本発明では、出力設定値を、屋内照明がすべて乃至大半が消灯されたときの太陽電池の起電力（出力値）よりも少し大きく設定しておくことにより、屋内照明のすべて乃至大半が消灯されると、開錠されている錠は、すべて自動施錠されるようにした。この自動施錠は、屋内照明の変化（点灯→消灯）に基づく、前記太陽電池の出力の変化に基づきなされるので、当該太陽電池は自動施錠センサーとして作用すると同時に、当該自動施錠の電源として作用する。なお、太陽電池を含む電源回路は、逆流防止素子と定電圧回路と急速充電と急速放電が可能な大容量コンデンサを備えて形成することが好ましい。
【０００８】
本発明システムにおける太陽電池としては、パネル型のアモルファスシリコン系のものがより好適である。また、コンデンサには、急速充電，急速放電が可能な大容量コンデンサを使用し、これを上記太陽電池の二次電池（バッテリ）として機能させる。逆流防止素子、一例としてダイオードは、定電圧回路の前後に同方向に向けて挿入し、前段側の逆流防止素子は太陽電池の起電力が定格電圧よりも低い場合の逆流を防止し、後段側の逆流防止素子は、コンデンサの過充電による逆流を防ぐために設置するものである。
【発明の効果】
【０００９】
本発明システムでは、オフィス等の屋内における出入口の扉やその屋内に配備された収納庫などにそれぞれ設置されたその動作制御回路を含む電気錠と、該錠の動作用電源として屋内に設置された太陽電池を含む電源回路を備えた電気錠において、前記屋内の夜間消灯時の太陽電池の出力値と任意設定可能な出力設定値とを演算部で比較演算し、前記太陽電池の出力値が出力設定値より小さいと演算されたとき、前記電気錠の動作制御回路に、当該電気錠の施錠信号を出力させるようにしたので、屋内照明が消灯乃至ほぼ消灯状態になると、太陽電池に前記照明の状態（点灯→消灯）が検知され仮にも施錠忘れの電気錠があった場合には、すべて自動施錠されるから、安全上きわめて好都合である。
【発明を実施するための最良の形態】
【００１０】
次に本発明システムの実施の形態例について、図を参照して説明する。添付した図において、図１は本発明システムにおける一例の機能ブロック図、図２は太陽電池の出力値と屋内照明の照度との関係において設定した施錠信号の例を示す線図、図３は本発明システムに使用する太陽電池を使用した電気錠の一例のブロック図、図４は本発明システムの電気錠を扉に適用した例の正面図である。
【００１１】
図において、１はオフィスの出入口の扉、或は、収納庫やロッカーなどの扉（いずれの扉も図１では省略）に設けられた電気錠で、詳細は図示しないが、一例として、ラッチや掛鉤或は閂などの係止部材が、電磁駆動されるソレノイドなどの駆動源によってその受け側に対し出没（又は旋回）することにより、施開錠されるものであり、その施開錠指令は、鍵として機能する後述する操作部３のテンキー操作やカード挿脱などによって出力されるように形成されたものである。本発明が適用される電気錠は、勿論、上記例の錠に限られるものではなく、電気を施開錠動作の駆動力源として使用する形式の錠であれば足りる。
【００１２】
２は上記錠１の作動を制御する制御回路で、テンキーやカード挿入部などで形成された操作部３からの入力によって、この制御回路２から前記錠１の施，開錠指令が形成され当該錠１を施開錠動作させる。
【００１３】
４は上記制御回路２、並びに、電気錠１のソレノイド等の駆動部（図示せず）の電源として接続された太陽電池で、図１では、中間にバッテリなどによる充電回路５を備えている。公知の太陽電池を電源とする電気錠は、基本的には上記電気錠１から充電回路５を備えたものであるが、本発明システムで用いる電気錠１は、それが配置されている屋内照明の照度の大小（高低）に応じた太陽電池の起電力の変化を捉えて前記電気錠１を自動施錠するもの、即ち、太陽電池が屋内照明の変化を検知するセンサーとして機能すると共に自動施錠される電気錠１の電源としても機能するものであるから、以下、この点について説明する。
【００１４】
太陽電池１の出力特性（起電圧など）は、その受光面が受ける太陽光や人工光（擬似太陽光）、或は、照明光の照度により変化する。図２の座標に、斜めに描いた太線の値Ａは、Ｙ軸を起電圧，Ｘ軸を照度にとって、照度の明暗と起電力の関係を模式的に示したもので、照度が大きいと起電力が大きくなるという比例関係にある。
【００１５】
そこで本発明では、屋内照明が、例えば全部消灯されて、全ての照明が点灯していたときに比べ太陽電池１の出力が低下したところの任意の点（図２の起電力の値）を選択して決め、屋内の照度（受光面での）と起電力が図２の点線Ｂで例示した閾値に達したときを検出し、この検出信号に基づいて、電気錠１の制御回路２に当接錠１の施錠指令を形成させそれを出力させるようにした。
【００１６】
このため本発明では、電気錠１に対する施錠指令を、操作部３の操作以外によって形成するため、一例として、図１に示す回路をこの電気錠１の電源回路に挿入した。即ち、太陽電池４の出力ラインにその出力（例えば電圧）検出部６を設けると共に、この検出部６に対応させて太陽電池出力（例えば電圧）の設定部７を設け、検出部６と設定部７の出力を、比較演算部８で比較演算し、この演算部８から太陽電池４の出力が設定値と同じ乃至それ以下になったらその旨の信号を出力させ、この出力信号をオペアンプ９等を通して制御回路２に入力することにより、電気錠１の強制施錠指令を出力させるようにしたのである。
【００１７】
因みに、屋内照明が全部点灯しているとき、太陽電池４の出力（起電力）は、図２の線図において線Ａの右側、即ち、照度が明るい側（点線Ｂで囲まれた範囲の外側）にあるが、その照明が全部消灯されると、太陽電池４の出力は、点線Ｂで囲まれた範囲の内側に入るように低下する。従って、点線Ｂの値に設定部７の電圧を設定していると、照度が落ちた屋内の太陽電池４の出力が設定値以下に低下するので、それが比較演算部８により演算検出されて、電気錠１が施錠されていない限り、その錠１は前記検出信号に基づいて強制施錠されるのである。
【００１８】
本発明システムにおいては、太陽電池４は、屋内照明の照度の変化を検出するセンサーとして利用すると同時に、屋内の扉に設けられた電気錠１の駆動用の電源として利用するものであるが、その起電力の基礎となる受光面が受ける照度は、屋内の照明光である。屋内の照明光は、屋外の自然光（太陽光）に比べれば、通常、照度が低い。このような低い照度でも、電気錠１並びにそれに付帯する電気的負荷の電源として太陽電池４の起電力を問題なく使用するため、本発明システムでは、図３に例示する工夫を施したので、次にこの点について述べる。
【００１９】
太陽電池４が屋内照明による照度を受けて、ピーク起電力に至るには、図２にも模式的に示したが、照度の明暗や照度ムラなどにより、所要の時間がかかると共に起電力にバラつきも生じる。
【００２０】
本発明ではこの不安定な起電力を安定な電源として利用するために、図３に示すように電気錠１とその付帯負荷（以下、電気錠負荷Ｒという）と太陽電池４の間に、安定化充電回路として、前後に逆流防止ダイオード5d1，5d2を挿入した定電圧回路5aを配置し、この定電圧回路5aの後段（逆流防止ダイオード5d2の後段）に、急速充電，急速放電動作をする電気二重層コンデンサ（スーパキャパシタ）5bを、二次電池として機能するように挿入した。
【００２１】
本発明システムでは、充電回路５を、逆流防止ダイオード5d1を前段に備えた定電圧回路5aと、同じく逆流防止ダイオード5d2を備えた電気二重層コンデンサ5bにより構成したので、太陽電池４を安定な電源として利用できる。
また、本発明システムでは、電気錠１を強制施錠させる指令信号を形成するための設定部７を任意の値で設定可能にしたので、照度が種々異なる屋内照明の場所でも、太陽電池を夫々の屋内での照度変化センサーとして作用させて施錠し忘れの電気錠を安定かつ確実に強制施錠することができる。
【００２２】
図４は、上述した本発明システムを搭載した扉（屋内の出入口又は収納庫）の正面図で、Ｄは扉本体、Ｆは扉本体を受ける枠、ｈはヒンジ、Ｈは背面に電気錠１が組込まれた扉開閉操作用のハンドルで、ここではテンキー３、施開錠状態のパイロットランプPLなどが一体に形成されている。太陽電池４は、図の例では扉本体Ｄの上部に横長に配置しているが、配置形態や設置位置は、この図の例に限られるものではない。太陽電池４は電気錠１の近くに設ける方が配線などの都合では望ましい。本発明システムでは、この扉が施錠し忘れて屋内灯が消灯されると、上述した仕組みにより、当該電気錠１が強制施錠されて、その旨がパイロットランプPLにより示されるようになっている。
【産業上の利用可能性】
【００２３】
本発明システムは以上の通りであって、太陽電池を利用して屋内照明が消灯されたことを検出すると共に、当該太陽電池を電源として施錠し忘れた電気錠を自動的に強制施錠するから、施錠し忘れた起因する諸々のトラブルを未然に防止できるので、実用上きわめて有用である。
【図面の簡単な説明】
【００２４】
【図１】本発明システムにおける一例の機能ブロック図。
【図２】太陽電池の出力値と屋内照明の照度との関係において設定した施錠信号の例を示す線図。
【図３】本発明システムに使用する太陽電池を使用した電気錠の一例のブロック図。
【図４】本発明システムの電気錠を扉に適用した例の正面図。
【符号の説明】
【００２５】
１    電気錠
２    制御回路
３    操作部
４    太陽電池
５    充電回路
６    検出部
７    設定部
８    比較演算部
【図１】
2006207316.tif 000003
【図２】
2006207316.tif 000004
【図３】
2006207316.tif 000005
【図４】
2006207316.tif 000006